(57)【要約】  複数のトリビュタリ信号を多値変調光に変換して送受信する光送受信システムであって、多値変調光の送信装置は、トリビュタリ識別子の付加を含む誤り訂正処理を実施するＦＥＣ３ａ，３ｂと、処理後の信号に対して速度変換を行うＧＥＡＲ  ＢＯＸ６と、を備え、多値変調光の受信装置は、受信した多値変調光を受信トリビュタリ信号に分離して出力系統ごとに出力する２０Ｇ  ＤＱＰＳＫ  ＲＥＣ４ｂと、受信トリビュタリ信号の速度変換を行うＧＥＡＲ  ＢＯＸ６と、受信トリビュタリ信号からトリビュタリ識別子を抽出するＦＥＣ３ａ，３ｂと、出力系統ごとにあらかじめ定めたトリビュタリ識別子と、抽出されたトリビュタリ識別子と、を比較するＴＩＭ８と、比較結果が不一致であった場合に、受信トリビュタリ信号と出力系統との対応の変更を指示するトリビュタリセレクタ９と、を備える。
2010119499.tif 000002
【特許請求の範囲】
【請求項１】
複数のトリビュタリ信号を１つの多値変調光に変換して送信する送信装置と、多値変調光を受信して複数のトリビュタリ信号に変換する受信装置と、で構成される光送受信システムであって、
前記送信装置は、
トリビュタリ信号ごとに、トリビュタリ信号に対して、トリビュタリを識別するためのトリビュタリ識別子の付加を含む誤り訂正符号化処理を実施する誤り訂正処理手段と、
前記誤り訂正符号化処理後の信号に対して、互いに同一の伝送速度となるよう、所定のデータを付加することにより速度変換を行う送信側速度変換手段と、
前記送信側速度変換手段による速度変換後の信号を１つの多値変調光に変換する多値変調手段と、
を備え、
前記受信装置は、
多値変調光を受信し、受信した信号をトリビュタリ信号ごとに分離し、分離した信号を受信トリビュタリ信号として受信トリビュタリ信号ごとに異なる出力系統に出力する多値変調光受信手段と、
前記受信トリビュタリ信号から前記所定のデータを削除することにより速度変換を行う受信側速度変換手段と、
出力系統ごとに、前記受信側速度変換手段による速度変換後の受信トリビュタリ信号に対して誤り訂正復号化処理を行い、また、前記受信トリビュタリ信号または速度変換後の受信トリビュタリ信号から前記トリビュタリ識別子を抽出する誤り訂正復号処理手段と、
出力系統ごとにあらかじめ定めたトリビュタリ識別子を出力系統トリビュタリ識別子として保持し、出力系統ごとに、前記出力系統トリビュタリ識別子と、その出力系統に出力された受信トリビュタリ信号から抽出された前記トリビュタリ識別子と、を比較し、一致するか不一致かを比較結果として通知するトリビュタリ検出手段と、
前記比較結果が不一致であった場合に、前記多値変調光受信手段から出力される受信トリビュタリ信号と出力系統との対応を変更するよう指示するトリビュタリ選択手段と、
を備え、
前記多値変調光受信手段は、前記トリビュタリ選択手段の指示に基づいて出力する受信トリビュタリ信号と出力系統との対応を変更することを特徴とする光送受信システム。
【請求項２】
複数のトリビュタリ信号を１つの多値変調光に変換して送信する送信装置である第１の送信装置および第２の送信装置と、多値変調光を受信して複数のトリビュタリ信号に変換する受信装置である第１の受信装置および第２の受信装置と、で構成される光送受信システムであって、
第１の送信装置が送信する多値変調光と、第２の送信装置が送信する多値変調光と、の偏波が互いに直交関係となるよう多重し、多重信号として送信する偏波多重装置と、
第１の送信装置が送信する多値変調光と、第２の送信装置が送信する多値変調光と、の波長の差を所定の値に制御する周波数オフセット装置と、
多重信号を受信した場合に、その多重信号を分岐し、分岐した信号をそれぞれ第１の受信装置および第２の受信装置へ出力する光分岐装置と、
を備え、
前記送信装置は、
トリビュタリ信号ごとに、トリビュタリ信号に対して、トリビュタリを識別するためのトリビュタリ識別子の付加を含む誤り訂正符号化処理を実施する誤り訂正処理手段と、
前記誤り訂正符号化処理後の信号に対して、互いに同一の伝送速度となるよう、所定のデータを付加することにより速度変換を行う送信側速度変換手段と、
前記送信側速度変換手段による速度変換後の信号を１つの多値変調光に変換する多値変調手段と、
を備え、
前記受信装置は、
多値変調光を受信し、受信した信号をトリビュタリ信号ごとに分離し、分離した信号を受信トリビュタリ信号として受信トリビュタリ信号ごとに異なる出力系統に出力する多値変調光受信手段と、
前記受信トリビュタリ信号から前記所定のデータを削除することにより速度変換を行う受信側速度変換手段と、
出力系統ごとに、前記受信側速度変換手段による速度変換後の受信トリビュタリ信号に対して誤り訂正復号化処理を行い、また、前記受信トリビュタリ信号または速度変換後の受信トリビュタリ信号から前記トリビュタリ識別子を抽出する誤り訂正復号処理手段と、
出力系統ごとにあらかじめ定めたトリビュタリ識別子を出力系統トリビュタリ識別子として保持し、出力系統ごとに、前記出力系統トリビュタリ識別子と、その出力系統に出力された受信トリビュタリ信号から抽出された前記トリビュタリ識別子と、を比較し、一致するか不一致かを比較結果として通知するトリビュタリ検出手段と、
前記比較結果が不一致であった場合に、前記多値変調光受信手段から出力される受信トリビュタリ信号と出力系統との対応を変更するよう指示するトリビュタリ選択手段と、
を備え、
前記多値変調光受信手段は、前記トリビュタリ選択手段の指示に基づいて出力する受信トリビュタリ信号と出力系統との対応を変更することを特徴とする光送受信システム。
【請求項３】
前記受信側速度変換手段は、トリビュタリ信号のうち伝送速度が最大のトリビュタリ信号を最速トリビュタリ信号とし、前記最速トリビュタリ信号以外のトリビュタリ信号の伝送速度が、前記最速トリビュタリ信号の伝送速度となるよう、前記最速トリビュタリ信号以外のトリビュタリ信号に所定のデータを付加し、また、前記最速トリビュタリ信号は所定のデータを付加せずに速度変換後のトリビュタリ信号とすることを特徴とする請求項１に記載の光送受信システム。
【請求項４】
前記多値変調光受信手段が前記最速トリビュタリ信号を示す出力系統トリビュタリ識別子に対応する出力系統に出力する受信側トリビュタリ信号を、前記受信側速度変換手段を経由せずに、前記誤り訂正復号処理手段へ速度変換後の受信側トリビュタリ信号として出力することを特徴とする請求項３に記載の光送受信システム。
【請求項５】
前記多値変調光を４相差動位相変調光とすることを特徴とする請求項１に記載の光送受信システム。
【請求項６】
前記多値変調光を４相差動位相変調光とすることを特徴とする請求項２に記載の光送受信システム。
【請求項７】
前記多値変調光を４相差動位相変調光とすることを特徴とする請求項３に記載の光送受信システム。
【請求項８】
前記多値変調光を４相差動位相変調光とすることを特徴とする請求項４に記載の光送受信システム。
【請求項９】
前記多値変調光を４相位相変調光とすることを特徴とする請求項１に記載の光送受信システム。
【請求項１０】
前記多値変調光を４相位相変調光とすることを特徴とする請求項２に記載の光送受信システム。
【請求項１１】
前記多値変調光を４相位相変調光とすることを特徴とする請求項３に記載の光送受信システム。
【請求項１２】
前記多値変調光を４相位相変調光とすることを特徴とする請求項４に記載の光送受信システム。
【請求項１３】
前記トリビュタリ信号のうちすくなくとも１つをＳＴＭ−６４信号とし、前記トリビュタリ信号のうちすくなくとも１つを１０ギガビットイーサネット（登録商標）信号とすることを特徴とする請求項１〜１２のいずれか１つに記載の光送受信システム。
【請求項１４】
前記トリビュタリ信号を、２以上の低速信号を多重化した信号とすることを特徴とする請求項１〜１２のいずれか１つに記載の光送受信システム。
【請求項１５】
前記低速信号を１ギガビットイーサネット（登録商標）信号とし、前記多重化した信号をＧＦＰ多重化信号とすることを特徴とする請求項１４に記載の光送受信システム。
【請求項１６】
前記トリビュタリ識別子としてＩＴＵ−Ｔで規格化されたTrace  Identifier  Mismatchを用いることを特徴とする請求項１〜１２のいずれか１つに記載の光送受信システム。
【請求項１７】
前記トリビュタリ識別子としてＩＴＵ−Ｔで規格化されたTrace  Identifier  Mismatchを用いることを特徴とする請求項１３に記載の光送受信システム。
【請求項１８】
前記トリビュタリ識別子としてＩＴＵ−Ｔで規格化されたTrace  Identifier  Mismatchを用いることを特徴とする請求項１４に記載の光送受信システム。
【請求項１９】
前記トリビュタリ識別子としてＩＴＵ−Ｔで規格化されたTrace  Identifier  Mismatchを用いることを特徴とする請求項１５に記載の光送受信システム。
【請求項２０】
複数のトリビュタリ信号を１つの多値変調光に変換して送信する送信装置と、受信装置が多値変調光を受信して複数のトリビュタリ信号に変換する光受信装置と、で構成される光送受信システムにおいて前記受信装置および前記送信装置として機能する光送受信装置であって、
トリビュタリ信号ごとに、トリビュタリ信号に対して、トリビュタリを識別するためのトリビュタリ識別子の付加を含む誤り訂正符号化処理を実施する誤り訂正処理手段と、
多値変調光を受信し、受信した信号をトリビュタリ信号ごとに分離し、分離した信号を受信トリビュタリ信号として受信トリビュタリ信号ごとに異なる出力系統に出力する多値変調光受信手段と、
前記誤り訂正符号化処理後の信号に対して、互いに同一の伝送速度となるよう、所定のデータを付加することにより送信側速度変換を行い、また、前記受信トリビュタリ信号から前記所定のデータを削除することにより受信側速度変換を行う速度変換手段と、
送信側速度変換後の信号を１つの多値変調光に変換する多値変調手段と、
出力系統ごとにあらかじめ定めたトリビュタリ識別子を出力系統トリビュタリ識別子として保持し、出力系統ごとに、前記出力系統トリビュタリ識別子と、その出力系統に出力された受信トリビュタリ信号から抽出された前記トリビュタリ識別子と、を比較し、一致するか不一致かを比較結果として通知するトリビュタリ検出手段と、
前記比較結果が不一致であった場合に、前記多値変調光受信手段から出力される受信トリビュタリ信号と出力系統との対応を変更するよう指示するトリビュタリ選択手段と、
を備え、
前記誤り訂正処理手段は、出力系統ごとに、受信側速度変換後の受信トリビュタリ信号に対して誤り訂正復号化処理を行い、また、前記受信トリビュタリ信号または速度変換後の受信トリビュタリ信号から前記トリビュタリ識別子を抽出し、
前記多値変調光受信手段は、前記トリビュタリ選択手段の指示に基づいて出力する受信トリビュタリ信号と出力系統との対応を変更することを特徴とする光送受信装置。
【請求項２１】
複数のトリビュタリ信号を１つの多値変調光に変換して送信する送信装置と、受信装置が多値変調光を受信して複数のトリビュタリ信号に変換する光受信装置と、で構成される光送受信システムにおける光送受信方法であって、
前記送信装置が、トリビュタリ信号ごとに、トリビュタリ信号に対して、トリビュタリを識別するためのトリビュタリ識別子の付加を含む誤り訂正符号化処理を実施する誤り訂正処理ステップと、
前記送信装置が、前記誤り訂正符号化処理後の信号に対して、互いに同一の伝送速度となるよう、所定のデータを付加することにより速度変換を行う送信側速度変換ステップと、
前記送信装置が、送信側速度変換ステップでの速度変換後の信号を１つの多値変調光に変換する多値変調ステップと、
前記受信装置が、多値変調光を受信し、受信した信号をトリビュタリ信号ごとに分離し、分離した信号を受信トリビュタリ信号として受信トリビュタリ信号ごとに異なる出力系統に出力する多値変調光受信ステップと、
前記受信装置が、前記受信トリビュタリ信号から前記所定のデータを削除することにより速度変換を行う受信側速度変換ステップと、
前記受信装置が、出力系統ごとに、受信側速度変換ステップでの速度変換後の受信トリビュタリ信号に対して誤り訂正復号化処理を行い、また、前記受信トリビュタリ信号または速度変換後の受信トリビュタリ信号から前記トリビュタリ識別子を抽出する誤り訂正復号処理ステップと、
前記受信装置が、出力系統ごとにあらかじめ定めたトリビュタリ識別子を出力系統トリビュタリ識別子として保持し、出力系統ごとに、前記出力系統トリビュタリ識別子と、その出力系統に出力された受信トリビュタリ信号から抽出された前記トリビュタリ識別子と、を比較し、一致するか不一致かを比較結果として通知するトリビュタリ検出ステップと、
前記受信装置が、前記比較結果が不一致であった場合に、前記多値変調光受信ステップで出力される受信トリビュタリ信号と出力系統との対応を変更するよう指示するトリビュタリ選択ステップと、
前記受信装置が、前記トリビュタリ選択ステップの指示に基づいて出力する受信トリビュタリ信号と出力系統との対応を変更する出力変更ステップと、
を含むことを特徴とする光送受信方法。
【発明の詳細な説明】
【技術分野】
【０００１】
本発明は、複数の光信号を電気多重して１つの光波長として伝送する光送受信システム、光送受信装置および光送受信方法に関する。
【背景技術】
【０００２】
波長多重光伝送システムの伝送容量を増やす方法として、多重する波長の間隔を狭めて伝送に使用する波長数を増やす方法，ビットレートを高速化する方法が知られている。たとえば、１０Ｇｂ／ｓのビットレートの信号を５０ＧＨｚ間隔で３２波長多重するシステムの伝送容量を２倍にする場合、前者の方法では、波長多重部分を交換して波長間隔を２５ＧＨｚに狭め、６４波長多重とすれば良い。また、後者の方法では、上記のシステムの伝送容量を２倍にする場合、１波長に載せる信号のビットレートを２倍の２０Ｇｂ／ｓとすればよい。【０００３】
後者の方法の一例として、２つの１０Ｇｂ／ｓ信号（１０Ｇｂ／ｓのビットレートの信号）を、４相差動位相変調するDifferential  Quadrature  Phase  Shift  Keying（ＤＱＰＳＫ）変調を用いて１波長で２０Ｇｂ／ｓを伝送する方法がある。たとえば、下記非特許文献１に記された方法では、２つの光送受信モジュール（ＸＦＰ：10  Gigabit  Small  Form  Factor  Pluggable）が、それぞれ異なる２つのＳＴＭ（Synchronous  Transfer  Mode）−６４信号（データレート１０Ｇｂ／ｓ）を受信する。これら２つの信号をトリビュタリ信号とよぶこととする。そして、誤り訂正ＬＳＩ（Large  Scale  Integration）が、各トリビュタリ信号を符号化し、パラレルプリフィックスネットワークによる差動符号化器が、その信号に対してさらに符号化して電気多重し、ＤＱＰＳＫ変調器が、電気多重化後の信号を１２．４Ｇｓｙｍｂｏｌ／ｓ（＝２４．８Ｇｂ／ｓ）の２０Ｇ  ＤＱＰＳＫ信号に変調して送出する。【０００４】
また、このようにして送出された２０Ｇ  ＤＱＰＳＫ信号を受信する場合には、２並列の１ビット遅延干渉計で構成される２０Ｇ  ＤＱＰＳＫ受信器が、受信した信号から２つのトリビュタリ信号を電気信号として抽出し、誤り訂正ＬＳＩが各トリビュタリ信号を復号し、光送信モジュール（ＸＦＰ）が、復号した各トリビュタリ信号を送出する。この際、２０Ｇ  ＤＱＰＳＫ受信器では、２０Ｇ  ＤＱＰＳＫ信号を光カプラで等分岐した後、２つの１ビット遅延干渉計が、隣接ビットとの位相差情報を強度情報に変換して、それぞれの強度を差動受光器で受光する。２つの１ビット遅延干渉計は、それぞれ光位相をπ／４と−π／４とすることで、それぞれ異なるデータ信号を復号する。【０００５】
上記の１ビット遅延干渉計には高い光位相の精度および安定度が要求されるが、内的要因（組成変化等）と外的要因（温度，圧力変化等）により光位相に誤差が生じる。したがって、位相安定化制御を行う必要があるが、位相安定化制御を行った場合、２つのトリビュタリ信号がどちらの１ビット遅延干渉計で復号されるかは不定であり、また、その論理（正論理，反転論理）も不定である。この問題を解決するために、たとえば、下記特許文献１では、論理・トリビュタリ判定回路を用いて、２つのトリビュタリ信号の出力先と論理を選択できるようにしている。
【先行技術文献】
【特許文献】
【０００６】
【特許文献１】特開２００６−２９５６０３号公報
【非特許文献】
【０００７】
【非特許文献１】T．Mizuochi，Y．Konishi，K．Ouchi，K．Onohara，K．Ishida，K．Shimizu，K．Kubo，S．Mitani，and  H．Tagami，“DQPSK  modulated  turbo  code  FEC  for  cable  capacity  upgrades”，Technical  Digest  of  SubOptic2007，WeB1.5，Baltimore，May，2007．
【発明の概要】
【発明が解決しようとする課題】
【０００８】
しかしながら上記非特許文献１に記載の方法によれば、同じ速度のトリビュタリ信号を多重することを前提としているため、ＳＴＭ−６４（９．９５３２Ｇｂ／ｓ）と１０ＧｂＥ（Ｅｔｈｅｎｅｔ（登録商標）  ＬＡＮ（Local  Area  Network）  ＰＨＹ（physical  layer）（１０．３１２Ｇｂ／ｓ）のように、速度の異なるトリビュタリ信号を多重する方法が開示されていない、という問題がある。【０００９】
また、速度の異なるトリビュタリ信号を多重する場合には、トリビュタリ信号の不定を取り除く必要があるが、上記特許文献１に記載の２つのトリビュタリ信号の不定を取り除く方法では、論理・トリビュタリ判定回路を必要とする。そのため、消費電力と回路規模が増大する、という問題があった。【００１０】
本発明は、上記に鑑みてなされたものであって、速度の異なるトリビュタリ信号を多重し光変復調することができ、また、回路規模の増大を抑えてトリビュタリ信号の出力先の不定を避けることができる光送受信システム、光送受信装置および光送受信方法を得ることを目的とする。
【課題を解決するための手段】
【００１１】
上述した課題を解決し、目的を達成するために、本発明は、複数のトリビュタリ信号を１つの多値変調光に変換して送信する送信装置と、多値変調光を受信して複数のトリビュタリ信号に変換する光受信装置と、で構成される光送受信システムであって、前記送信装置は、トリビュタリ信号ごとに、トリビュタリ信号に対して、トリビュタリを識別するためのトリビュタリ識別子の付加を含む誤り訂正符号化処理を実施する誤り訂正処理手段と、前記誤り訂正符号化処理後の信号に対して、互いに同一の伝送速度となるよう、所定のデータを付加することにより速度変換を行う送信側速度変換手段と、前記送信側速度変換手段による速度変換後の信号を１つの多値変調光に変換する多値変調手段と、を備え、前記受信装置は、多値変調光を受信し、受信した信号をトリビュタリ信号ごとに分離し、分離した信号を受信トリビュタリ信号として受信トリビュタリ信号ごとに異なる出力系統に出力する多値変調光受信手段と、前記受信トリビュタリ信号から前記所定のデータを削除することにより速度変換を行う受信側速度変換手段と、出力系統ごとに、前記受信側速度変換手段による速度変換後の受信トリビュタリ信号に対して誤り訂正復号化処理を行い、また、前記受信トリビュタリ信号または速度変換後の受信トリビュタリ信号から前記トリビュタリ識別子を抽出する誤り訂正復号処理手段と、出力系統ごとにあらかじめ定めたトリビュタリ識別子を出力系統トリビュタリ識別子として保持し、出力系統ごとに、前記出力系統トリビュタリ識別子と、その出力系統に出力された受信トリビュタリ信号から抽出された前記トリビュタリ識別子と、を比較し、一致するか不一致かを比較結果として通知するトリビュタリ検出手段と、前記比較結果が不一致であった場合に、前記多値変調光受信手段から出力される受信トリビュタリ信号と出力系統との対応を変更するよう指示するトリビュタリ選択手段と、を備え、前記多値変調光受信手段は、前記トリビュタリ選択手段の指示に基づいて出力する受信トリビュタリ信号と出力系統との対応を変更することを特徴とする。
【発明の効果】
【００１２】
本発明にかかる光送受信システムは、速度の異なるトリビュタリ信号を、誤り訂正符号した後に、低速のトリビュタリ信号を速度変換して高速のトリビュタリ信号の速度と同一の速度として、１つの信号として変調して出力し、また、変調された信号を受信した場合には、２つのトリビュタリ信号に分離し、また、分離したトリビュタリ信号を誤り訂正復号し、誤り訂正復号処理で得られるトリビュタリを識別するための識別子に基づいてトリビュタリ信号の出力先を判定するようにしたので、速度の異なるトリビュタリ信号を多重し光変復調することができ、また、回路規模の増大を抑えてトリビュタリ信号の出力先の不定を避けることができる、という効果を奏する。
【図面の簡単な説明】
【００１３】
【図１】図１は、実施の形態１の光送受信装置の機能構成例を示す図である。
【図２】図２は、実施の形態２の光送受信装置の機能構成例を示す図である。
【図３】図３は、実施の形態３の光送受信装置の機能構成例を示す図である。
【図４】図４は、実施の形態４の光送受信システムの構成例を示す図である。
【発明を実施するための形態】
【００１４】
以下に、本発明にかかる光送受信システム、光送受信装置および光送受信方法の実施の形態を図面に基づいて詳細に説明する。なお、この実施例によりこの発明が限定されるものではない。
【００１５】
実施の形態１．
図１は、本発明にかかる光送受信装置の実施の形態１の機能構成例を示す図である。本実施の形態の光送受信装置は、速度の異なる２つのトリビュタリ信号、すなわち、ＩＴＵ−Ｔ（Telecommunication  Union  Telecommunication  Standardization  Sector）で規格化された９．９５３２８Ｇｂ／ｓの信号であるＳＴＭ−６４信号１ａとＩＥＥＥ（Institute  of  Electrical  and  Electronic  Engineers）で規格化された１０．３１２５Ｇｂ／ｓの信号である１０ＧｂＥ  ＬＡＮ  ＰＨＹ  信号１ｂと、を多値変調することにより多重して１つの波長のＤＱＰＳＫ送信光５ａとして出力する。また、本実施の形態の光送受信装置は、ＤＱＰＳＫ受信光５ｂを受信し、ＳＴＭ−６４信号１ａと１０ＧｂＥ  ＬＡＮ  ＰＨＹ  信号１ｂとに分離する。
【００１６】
図１に示すように、実施の形態の光送受信装置は、光信号を電気信号に変換し、また電気信号を光信号に変換する光送受信モジュールであるＸＦＰ２ａ，２ｂと、ＩＴＵ−Ｔで規格化されたＯＴＵ（Optical  Channel  Transport  Unit）２フレームに準拠した誤り訂正処理を行い、またＯＴＵ２フレーム化、ＯＴＵ２デフレーム化の処理を行うＦＥＣ（Forward  Error  Correction）３ａ，３ｂと、２０Ｇ  ＤＱＰＳＫ  ＭＯＤ（変調器）４ａと、２０Ｇ  ＤＱＰＳＫ  ＲＥＣ（受信器）４ｂと、速度変換回路（ＧＥＡＲ  ＢＯＸ）６と、差動符号化回路（ＤＱＰＳＫ  ＰＲＥＣＯＤＥＲ）７と、トレースＩＤ（IDentifier）ミスマッチ検出回路（ＴＩＭ）８と、トリビュタリセレクタ（Ｔｒｉｂ．ＳＥＬ）９と、で構成される。なお、ここでは、光送受信モジュールとして、一般的に用いられるＸＦＰモジュールを用いることとしたが、これに限らず他の光送受信モジュールを用いてもよい。
【００１７】
本実施の形態の動作を説明する。まず、トリビュタリ信号を多重してＤＱＰＳＫ送信光５ａとして送信する場合の動作（送信側動作）を説明する。ＸＦＰ２ａ，２ｂは、それぞれ入力されたＳＴＭ−６４信号１ａ，１０ＧｂＥ  ＬＡＮ  ＰＨＹ  信号１ｂを電気信号に変換し、変換後の電気信号をＦＥＣ３ａ，３ｂへそれぞれ出力する。ＦＥＣ３ａ，３ｂは、それぞれ入力された電気信号に対して、誤り訂正符号化およびＯＴＵ２フレーム化の処理を行い、処理後の信号を速度変換回路６へ出力する。たとえば、誤り訂正の冗長度を１１％とした場合、誤り訂正符号化の各信号は、それぞれ１１．０Ｇｂ／ｓ，１１．４Ｇｂ／ｓの信号となる。
【００１８】
速度変換回路６は、ＦＥＣ３ａ，３ｂのそれぞれの出力のうち、速度の低い信号、すなわちＦＥＣ３ａの出力信号に対して、あらかじめ決めたフレーム周期ごとに余分なビット（スタッフビットまたはアイドルビット）を付加してＦＥＣ３ｂの出力と同一の速度の信号に変換し、差動符号化回路７へ出力する。差動符号化回路７は、これら２つの信号を、たとえば、「Y．  Konishi，K．  Ishida，K．  Kubo，and  T．  Mizuochi，“True  PRBS  transmission  of  DQPSK  by  differential  precoder  employing  parallel  prefix  network，”Technical  Digest  of  OFC／NFOEC2006，OThR3，Anaheim，March」に記載されているような方法により、４相差動位相に符号化し、符号化された信号を２０Ｇ  ＤＱＰＳＫ  ＭＯＤ４ａへ出力する。２０Ｇ  ＤＱＰＳＫ  ＭＯＤ４ａは、差動符号化回路７から出力された信号をＤＱＰＳＫ信号に変調し、２２．８Ｇｂ／ｓ（＝１１．４Ｇｓｙｍｂｏｌ／ｓ）のＤＱＰＳＫ送信光５ａとして光伝送路に送出する。
【００１９】
つぎに、本実施の形態の光送受信装置と同様の構成の他の光送受信装置から送信されたＤＱＰＳＫ受信光５ｂを受信し、トリビュタリ信号に分離する動作（受信側動作）を説明する。２０Ｇ  ＤＱＰＳＫ  ＲＥＣ４ｂは、光伝送路から受信した２２．８Ｇｂ／ｓのＤＱＰＳＫ受信光５ｂを、２つのトリビュタリの電気信号に変換する。それぞれの電気信号は、ＦＥＣ３ａ，３ｂへ出力されるが、この際、余分なビットが追加されているトリビュタリの電気信号（この場合は、ＦＥＣ３ａに出力される信号）については、速度変換回路６で余分なビットを除去して、もとの速度に戻した後に、ＦＥＣ３ａへ出力される。そして、ＦＥＣ３ａ，３ｂは、それぞれ入力された電気信号に対して誤り訂正復号処理およびＯＴＵ２デフレーム処理を実施し、処理後の信号はそれぞれＸＦＰ２ａ，２ｂ経由で、ＳＴＭ−６４信号１ａ，１０ＧｂＥ  ＬＡＮ  ＰＨＹ  信号１ｂとして送出される。
【００２０】
ここで、２０Ｇ  ＤＱＰＳＫ  ＲＥＣ４ｂは、光カプラと２つの１ビット遅延干渉計と差動受光器とを備えることとし、入力された信号を光カプラで等分岐した後、２つの１ビット遅延干渉計が、隣接ビットとの位相差情報を強度情報に変換して、それぞれの強度を差動受光器で受光することとする。従来の技術では、２０Ｇ  ＤＱＰＳＫ  ＲＥＣ４ｂの２つの１ビット遅延干渉計に、どちらのトリビュタリ信号が出力されるか、は不定である。すなわち、２０Ｇ  ＤＱＰＳＫ  ＲＥＣ４ｂの２つの出力系統にどちらのトリビュタリ信号が出力されるかが不定である。
【００２１】
本実施の形態では、この不定を排除するために、以下のような動作を行い、トリビュタリを選択できるようにしている。まず、トリビュタリの不定を排除するために、ＦＥＣ３ａ，３ｂが、ＯＴＵ２デフレーム処理として通常備えている機能により、符号化時に埋め込まれたＩＴＵ−Ｔで規格化されたTrace  Identifier  Mismatch（ＴＩＭ）と呼ばれる識別子を抽出して、トレースＩＤミスマッチ検出回路８へ出力する。トレースＩＤミスマッチ検出回路８では、ＦＥＣ３ａ，３ｂがそれぞれ符号化に用いるTrace  Identifier  Mismatch（ＴＩＭ）を保持していることとし、ＦＥＣ３ａが符号化に用いるＴＩＭとＦＥＣ３ａがデフレーム処理で抽出したＴＩＭとを比較し、また、ＦＥＣ３ｂが符号化に用いるＴＩＭとＦＥＣ３ｂがデフレーム処理で抽出したＴＩＭとを比較し、比較結果とトレースＩＤ（IDentifier）ミスマッチ情報としてトリビュタリセレクタ９へ出力する。
【００２２】
トレースＩＤミスマッチ情報が、ＦＥＣ３ａが符号化に用いるＴＩＭとＦＥＣ３ｂがデフレーム処理で抽出したＴＩＭが一致し、ＦＥＣ３ｂが符号化に用いるＴＩＭとＦＥＣ３ａがフレーム処理で抽出したＴＩＭが一致したという結果、すなわちＦＥＣ３ａ，３ｂのＴＩＭが入れ替わって検出された結果を示す情報であった場合には、トリビュタリセレクタ９は、２０Ｇ  ＤＱＰＳＫ  ＲＥＣ４ｂへ受信位相を変化させることでトリビュタリの入れ替えを行うよう指示する制御信号を送る。２０Ｇ  ＤＱＰＳＫ  ＲＥＣ４ｂは、制御信号に基づいて出力先を入れ替えるように受信位相を変化させる。
【００２３】
また、論理反転が生じると、ＦＥＣ３ａ，３ｂでＯＵＴ２フレーム同期が確立できない。したがって、ＦＥＣ３ａ，３ｂでＯＵＴ２フレーム同期が確立できなかった場合には、ＦＥＣ３ａ，３ｂは、その旨をトレースＩＤミスマッチ検出回路８経由でトリビュタリセレクタ９へ通知し、トリビュタリセレクタ９が２０Ｇ  ＤＱＰＳＫ  ＲＥＣ４ｂに対して、受信位相を変化させることで受信論理の反転を行うよう指示する制御信号を送る。なお、トリビュタリセレクタ９は、２０Ｇ  ＤＱＰＳＫ  ＲＥＣ４ｂの温度制御回路などにより構成することができる。
【００２４】
なお、図１では、ＦＥＣ３ａ，３ｂに入力されるトリビュタリ信号を、それぞれＳＴＭ−６４信号１ａ，１０ＧｂＥ  ＬＡＮ  ＰＨＹ  信号１ｂとしたが、この順が逆になる場合や、両方とも低速のＳＴＭ−６４信号である場合、または、両方とも高速の１０ＧｂＥ  ＬＡＮ  ＰＨＹ  信号である場合も考えられる。このような場合にも対応できるように、いずれかが低速であれば低速側の信号のみを速度変換回路６で速度変換し、両方とも同じ速度であれば速度変換回路６は何もしないように構成しておくようにしてもよい。これにより、速度変換回路６の回路規模，消費電力の低減を図ることができる。
【００２５】
また、図１では、受信動作では、速度の低いトリビュタリのみ速度変換回路６を通過させることとしている。通常、送信動作では、速度変換する・しないにかかわらず両方のトリビュタリ信号を、速度変換回路６を通過させる必要があるが、受信動作で低速のトリビュタリのみの速度を元に戻すようにしてもよい。このようにすると、速度変換回路６のスループットは、通常、送受信の動作でトリビュタリの約４倍のスループットが必要なところが、３倍のスループットで済む。どちらが低速のトリビュタリであるかは、トレースＩＤミスマッチ検出回路８がＴＩＭに基づいて判断し、速度変換回路６を通過させる信号を、２０Ｇ  ＤＱＰＳＫ  ＲＥＣ４ｂへ指示するようにすればよい。
【００２６】
また、２つのトリビュタリのうち片方だけを使用する場合、たとえば、１０ＧｂＥ  ＬＡＮ  ＰＨＹ  信号はＸＦＰ２ｂへ接続するポートを使用する、と決めておけば、後から、ＳＴＭ−６４信号が追加される場合、ＸＦＰ２ａを経由する経路が自動的に低速側になる。したがって、受信動作の際に、速度変換回路６を経由する信号は、ＦＥＣ３ａに入力されるようにしておけばよい。また、後から、１０ＧｂＥ  ＬＡＮ  ＰＨＹ  信号が追加された場合にも、ＸＦＰ２ａを経由する経路を使用することになるが、この場合、上述のように、速度が同じ場合には、速度変換回路６は何もしないように構成しておく構成であれば、ＸＦＰ２ａを経由するも速度変換はされない。
【００２７】
なお、以上の説明では、２つのトリビュタリ信号として１０ＧｂＥ  ＬＡＮ  ＰＨＹ  信号とＳＴＭ−６４信号について説明したが、これ以外の信号をトリビュタリ信号としてもよい。たとえば、速度がわずかに異なる２組の４０Ｇｂ／ｓ信号を８０Ｇｂ／ｓ  ＤＱＰＳＫ信号や８０Ｇｂ／ｓ  ＱＰＳＫ信号として送受信するなど、これ以外のビットレートの場合に上記と同じ技術を適用することによって、同様の効果を得ることができる。
【００２８】
さらに、変調方式についても、ＤＱＰＳＫやＱＰＳＫなど４相位相変調に限るものではなく、他の４値変調方式にも適用可能である。また、４値変調以外の、たとえば、８値や１６値変調など４値より多値の変調方式に適用すれば、さらに多くの（２つより多い）トリビュタリ信号を１つの波長にのせて送受信できる。また、２つより多いトリビュタリ信号を処理する場合には、ＸＦＰ，ＦＥＣをトリビュタリ信号の分だけ備え、速度変換回路６は、最も速い速度のトリビュタリ信号に速度をあわせるよう、他のトリビュタリ信号の速度変換を行うようにすればよい。
【００２９】
また、本実施の形態では、トリビュタリの不定を除くためにＴＩＭ（トリビュタリＩＤミスマッチ信号）を用いる方法を示したが、トリビュタリの不定を除くために用いる信号は、これに限らず、トリビュタリを識別できる信号であればどのようなものを用いてもよい。
【００３０】
なお、本実施の形態では、送信動作を行う光送信装置（トリビュタリ信号を入力として２０Ｇ  ＤＱＰＳＫ光を送信する装置）と受信動作を行う光受信装置（２０Ｇ  ＤＱＰＳＫ光を受信してトリビュタリ信号を出力する装置）の両方の機能を有する光送受信装置を例に説明したが、光送信装置と光受信装置を、別の装置としてもよい。その場合、光送信装置が上記の送信動作に必要な構成要素を備え、光受信装置は受信動作に必要な構成要素を備えるようにすればよい。
【００３１】
以上のように、本実施の形態では、速度の異なるトリビュタリ信号を、ＦＥＣ３ａ，３ｂが誤り訂正符号し、速度変換回路６が低速のトリビュタリ信号を速度変換して高速のトリビュタリ信号の速度と同一の速度とした後に、２０Ｇ  ＤＱＰＳＫ  ＭＯＤ４ａが１つの信号として変調して出力し、また、変調された信号を受信した場合には、２０Ｇ  ＤＱＰＳＫ  ＲＥＣ４ｂが２つのトリビュタリ信号に分離し、また、分離したトリビュタリ信号をＦＥＣ３ａ，３ｂが誤り訂正復号し、トレースＩＤミスマッチ検出回路８が誤り訂正復号処理で得られるＴＩＭに基づいてトリビュタリ信号の出力先を２０Ｇ  ＤＱＰＳＫ  ＲＥＣ４ｂへ指示するようにした。そのため、速度の異なるトリビュタリ信号を多重し光変復調することができ、また、回路規模の増大を抑えてトリビュタリ信号の出力先の不定を避けることができる。
【００３２】
実施の形態２．
図２は、本発明にかかる光送受信装置の実施の形態２の機能構成例を示す図である。実施の形態１では、ＳＴＭ−６４信号１ａ，１０ＧｂＥ  ＬＡＮ  ＰＨＹ  信号１ｂのトリビュタリ信号を、２０Ｇｂ／ｓのＤＱＰＳＫ信号として伝送する例について説明したが、本実施の形態では、差動符号化しないQuadrature  Phase  Shift  Keying（ＱＰＳＫ）信号（ＱＰＳＫ送信光１３ａ，ＱＰＳＫ受信光１３ｂ）として伝送を行う例について説明する。
【００３３】
図２に示すように、本実施の形態の光送受信装置は、実施の形態１の光送受信装置の２０Ｇ  ＤＱＰＳＫ  ＭＯＤ４ａ，２０Ｇ  ＤＱＰＳＫ  ＲＥＣ４ｂ，差動符号化回路（ＤＱＰＳＫ  ＰＲＥＣＯＤＥＲ）７を、それぞれ２０Ｇ  ＱＰＳＫ  ＭＯＤ１２ａ，２０Ｇ  ＱＰＳＫ  ＲＥＣ１２ｂ，ＱＰＳＫマッパ（ＱＰＳＫ  Ｍａｐｐｅｒ）１１に替える以外は実施の形態１の光送受信装置と同様である。実施の形態１と同様の機能を有する構成要素は、実施の形態１と同一の符号を付して説明を省略する。
【００３４】
２０Ｇ  ＤＱＰＳＫ  ＭＯＤ４ａと２０Ｇ  ＱＰＳＫ  ＭＯＤ１２ａは同一の回路で構成することができ、変調する電気信号が差動符号化されているかされていないかの違いだけである。また、２０Ｇ  ＱＰＳＫ  ＲＥＣ１２ｂは、たとえば、局発レーザと９０度ハイブリッドとツインフォトダイオードとデジタル信号処理ＬＳＩ（Large  Scale  Integration）で構成され、ＱＰＳＫ信号を偏波ダーバーシティ受信・ホモダイン検波する。
【００３５】
つぎに本実施の形態の動作を説明する。本実施の形態の２０Ｇ  ＱＰＳＫ  ＭＯＤ１２ａ，２０Ｇ  ＱＰＳＫ  ＲＥＣ１２ｂ，ＱＰＳＫマッパ（ＤＱＰＳＫ  Ｍａｐｐｅｒ）１１以外の構成要素の動作は、実施の形態１と同様であるため、以下、実施の形態１と異なる点を説明する。まず、送信動作について説明する。速度変換回路６は、実施の形態１と同様に速度変換を行った信号をＱＰＳＫマッパ１１へ出力し、ＱＰＳＫマッパ１１が入力された信号に基づいてマッピングを行い、２０Ｇ  ＱＰＳＫ  ＭＯＤ１２ａがマッピングされた信号をＱＰＳＫ変調し、２０Ｇｂ／ｓのＱＰＳＫ信号として出力する。また、受信動作では、２０Ｇ  ＱＰＳＫ  ＲＥＣ１２ｂが、受信した２０Ｇｂ／ｓのＱＰＳＫ信号を２つのトリビュタリの電気信号として、速度変換回路６とＦＥＣ３ｂへ出力する。
【００３６】
トレースＩＤミスマッチ検出回路８は、実施の形態１と同様に、ＦＥＣ３ａ，ＦＥＣ３ｂへ出力されるべき信号が入れ替わっている場合には、トリビュタリセレクタ９へその旨を通知し、トリビュタリセレクタ９は、２０Ｇ  ＱＰＳＫ  ＲＥＣ１２ｂへトリビュタリを指示する制御信号を送信する。また、実施の形態１と同様にＯＵＴ２フレーム同期が確立できない場合には、論理反転を指示する制御信号を送信する。２０Ｇ  ＱＰＳＫ  ＲＥＣ１２ｂのデジタル信号処理ＬＳＩは、制御信号に基づいて、位相を９０度単位で調整することにより、出力するトリビュタリの入れ替えまたは論理の反転を行う。
【００３７】
本実施の形態では、実施の形態１の光送受信装置の２０Ｇ  ＤＱＰＳＫ  ＭＯＤ４ａ，２０Ｇ  ＤＱＰＳＫ  ＲＥＣ４ｂ，差動符号化回路７の替わりに、それぞれ２０Ｇ  ＱＰＳＫ  ＭＯＤ１２ａ，２０Ｇ  ＱＰＳＫ  ＲＥＣ１２ｂ，ＱＰＳＫマッパ１１を備えるようにした。そのため、２つのトリビュタリ信号をＱＰＳＫ変調して１つの信号として伝送する場合についても、実施の形態１と同様の効果を得ることができる。
【００３８】
実施の形態３．
図３は、本発明にかかる光送受信装置の実施の形態３の機能構成例を示す図である。実施の形態１では、ＳＴＭ−６４信号１ａ，１０ＧｂＥ  ＬＡＮ  ＰＨＹ  信号１ｂをトリビュタリ信号としたが、本実施の形態では、ＳＴＭ−６４信号１ａの替りに、１ＧｂＥ（１ギガビットイーサネット（登録商標））信号２１−１〜２１−８をトリビュタリ信号とする例について説明する。
【００３９】
本実施の形態の光送受信装置は、実施の形態１のＸＦＰ２ａの替わりに、光送受信モジュールであるＳＦＰ（Small  Form  factor  Pluggable）２２−１〜２２−８およびＧＦＰ（Generic  Framing  Procedure）と呼ばれる方式による多重化処理を行うＬＳＩであるＧＦＰ２３を備える以外は、実施の形態１の光送受信装置と同様である。実施の形態１と同様の機能を有する構成要素は、実施の形態１と同一の符号を付して説明を省略する。
【００４０】
本実施の形態の送信動作は、１ＧｂＥ信号２１−１〜２１−８をＳＦＰ２２-１〜２２−８が受信して、ＧＦＰ２３がＳＦＰ２２-１〜２２−８から出力される信号をＧＦＰ方式により多重化し、多重化後の信号をＦＥＣ３ａに出力する。ＦＥＣ３ａ以降の処理は実施の形態１と同様である。
【００４１】
また、本実施の送信動作は、ＦＥＣ３ａで誤り訂正復号化されるまでは、実施の形態１と同様であり、ＦＥＣ３ａで誤り訂正復号化された信号は、ＧＦＰ２３が分離してＳＦＰ２２−１〜ＳＦＰ２２−８へそれぞれ分離後の信号を出力し、ＳＦＰ２２−１〜ＳＦＰ２１−８が、それぞれ、入力された信号を１ＧｂＥ信号２１−１〜２１−８として出力する。以上述べた以外の本実施の形態の動作は、実施の形態１と同様である。
【００４２】
なお、本実施の形態では、実施の形態１と同様にＤＱＰＳＫ変調を行う場合を説明したが、実施の形態２と同様に、２０Ｇ  ＤＱＰＳＫ  ＭＯＤ４ａ，２０Ｇ  ＤＱＰＳＫ  ＲＥＣ４ｂ，差動符号化回路７を、２０Ｇ  ＱＰＳＫ  ＭＯＤ１２ａ，２０Ｇ  ＱＰＳＫ  ＲＥＣ１２ｂ，ＱＰＳＫマッパ１１に替えて、ＱＰＳＫ変調を行うようにしてもよい。また、これら以外の多値変調方式を用いるようにしてもよい。
【００４３】
また、本実施の形態では、１ＧｂＥ信号２１−１〜２１−８と１０ＧｂＥ  ＬＡＮ  ＰＨＹ  信号１ｂをトリビュタリ信号としたが、これに限らず、１ＧｂＥ信号２１−１〜２１−８以外の他の種類の複数の信号を用い、本実施の形態と同様に多重化した後に、他のトリビュタリ信号とともに多値変調するようにしてもよい。また、１０ＧｂＥ  ＬＡＮ  ＰＨＹ  信号１ｂの替わりにＳＴＭ−６４信号等、他のトリビュタリ信号を用いるようにしてもよい。
【００４４】
本実施の形態では、ＸＦＰ２ａの替わりに、ＳＦＰ２２−１〜２２−８およびＧＦＰ２３を備え、ＧＦＰ２３がＳＦＰ２２−１〜２２−８経由で受信した１ＧｂＥ信号２１−１〜２１−８を多重化し、多重化した信号と、１０ＧｂＥ  ＬＡＮ  ＰＨＹ  信号１ｂと、を１つの２０Ｇ  ＤＱＰＳＫ信号として送信し、また、２０Ｇ  ＤＱＰＳＫ信号を受信して、１０ＧｂＥ  ＬＡＮ  ＰＨＹ  信号１ｂと１ＧｂＥ信号２１−１〜２１−８に分離するようにした。そのため、８つの１ＧｂＥ信号を多重化した信号と１０ＧｂＥ  ＬＡＮ  ＰＨＹ  信号と、をトリビュタリ信号とする場合に、トリビュタリ信号を多重し光変復調することができ、また、回路規模の増大を抑えてトリビュタリ信号の出力先の不定を避けることができる。
【００４５】
実施の形態４．
図４は、本発明にかかる光送受信システムの実施の形態４の構成例を示す図である。本実施の形態の光送受信システムは、実施の形態１の光送受信装置と同様の光送受信装置を２式（図４の上段と下段）備え、さらに、偏波多重器３１と、波長オフセット制御器（ＬＤ  ｏｆｆｓｅｔ  ｃｏｎｔ）３２と、光分岐器３３と、を備える。実施の形態１と同様の構成要素は、実施の形態１と同一の符号を付して説明を省略する。光送受信装置の動作は、以下に述べる点以外は、実施の形態１と同様である。
【００４６】
本実施の形態の光送受信システムでは、２式の光送受信装置が、実施の形態１と同様にＤＱＰＳＫ送信光５ａを出力し、偏波多重器３１が、２式の光送受信装置から出力された２つのＤＱＰＳＫ送信光５ａを互いの偏波が直交するように多重し、多重した信号を４０Ｇｂ／ｓ光信号３４ａとして出力する。また、波長オフセット制御器３２は、２つのＤＱＰＳＫ送信光５ａが一定の周波数オフセットで発光されるよう、２式の光送受信装置の２０Ｇ  ＤＱＰＳＫ  ＭＯＤ４ａをそれぞれ制御する。
【００４７】
また、本実施の形態の光送受信システムと同様の構成の他の光送受信システムから送信された４０Ｇｂ／ｓ光信号３４ｂを受信する場合には、まず、光分岐器３３が、４０Ｇｂ／ｓ光信号３４ｂを２つのＤＱＰＳＫ信号５ｂに分岐し、２式の光送受信装置へそれぞれ入力する。
【００４８】
波長オフセット制御器３２は、２式の光送受信装置のＤＱＰＳＫ送信光５ａの周波数オフセットをビットレートに等しく（例えば、２０Ｇ  ＤＱＰＳＫの場合、２１．４ＧＨｚ）なるよう制御する。一方、光分岐器は、ビットレートの周期の透過特性を持つ光フィルタとする。片方のＤＱＰＳＫ送信光５ａは透過特性のピークに中心周波数が位置し、もう片方のＤＱＰＳＫ送信光５ａの中心周波数は透過特性のゼロ点に位置することになる。したがって、透過特性のピークに位置するＤＱＰＳＫ送信光５ａは後段の差動受光器で受信できるが、透過特性のゼロ点に位置するもう片方のＤＱＰＳＫ送信光５ａは消滅する。それぞれのＤＱＰＳＫ送信光のスペクトルは裾の部分でわずかに重なっており、これが干渉し雑音となるが、本実施の形態のようにそれぞれが偏波直交されていれば、両者は干渉することなく、発生する雑音も最小限に抑えられる。
【００４９】
なお、本実施の形態では、実施の形態１の光送受信装置を２式備える場合を説明したが、これに限らず、実施の形態２または実施の形態３の光送受信装置を２式備え、さらに、偏波多重器３１と、波長オフセット制御器（ＬＤ  ｏｆｆｓｅｔ  ｃｏｎｔ）３２と、光分岐器３３と、を備え、本実施の形態と同様に偏波多重を行うようにしてもよい。
【００５０】
本実施の形態では、実施の形態１の光送受信装置と同様の光送受信装置を２式備え、さらに、偏波多重器３１と、波長オフセット制御器３２と、光分岐器３３と、を備え、偏波多重器３１が、２式の光送受信装置から出力されるＤＱＰＳＫ送信光５ａを偏波多重し、４０Ｇｂ／ｓ光信号３４ａとして出力し、４０Ｇｂ／ｓ光信号３４ｂを受信した場合には、光分岐器３３が２つの光信号に分岐してそれぞれ２式の光送受信装置へ入力し、また、波長オフセット制御器３２が、２式の光送受信装置の出力信号の波長の周波数オフセットを制御するようにした。そのため、実施の形態１の効果が得られるとともに、ＱＰＳＫ送信光５ａをさらに多重して１つの４０Ｇｂ／ｓ光信号３４ａとして送信することができる。また、４０Ｇｂ／ｓ光信号３４ｂを受信する際に、偏波分離器を用いる必要がない。
【産業上の利用可能性】
【００５１】
以上のように、本発明にかかる光送受信システム、光送受信装置および光送受信方法は、複数のトリビュタリ信号を電気多重して１つの光波長として伝送する光送受信器に有用であり、特に、速度の異なるトリビュタリ信号を多重する光送受信器に適している。
【符号の説明】
【００５２】
１ａ  ＳＴＭ−６４信号
１ｂ  １０ＧｂＥ  ＬＡＮ  ＰＨＹ  信号
２ａ，２ｂ  ＸＦＰ
３ａ，３ｂ  ＦＥＣ
４ａ  ２０Ｇ  ＤＱＰＳＫ  ＭＯＤ
４ｂ  ２０Ｇ  ＤＱＰＳＫ  ＲＥＣ
５ａ  ＤＱＰＳＫ送信光
５ｂ  ＤＱＰＳＫ受信光
６  速度変換回路
７  ＤＱＰＳＫ  ＰＲＥＣＯＤＥＲ
８  ＴＩＭ
９  Ｔｒｉｂ．ＳＥＬ
１１  ＱＰＳＫ  Ｍａｐｐｅｒ
１２ａ  ２０Ｇ  ＱＰＳＫ  ＭＯＤ
１２ｂ  ２０Ｇ  ＱＰＳＫ  ＲＥＣ
１３ａ  ＱＰＳＫ送信光
１３ｂ  ＱＰＳＫ受信光
２１−１〜２１−８  １ＧｂＥ信号
２２−１〜２２−８  ＳＦＰ
２３  ＧＦＰ
３１  偏波多重器
３２  ＬＤ  ｏｆｆｓｅｔ  ｃｏｕｎｔ
３３  光分岐器
３４ａ，３４ｂ  ４０Ｇｂ／ｓ光信号
【図１】
2010119499.tif 000003
【図２】
2010119499.tif 000004
【図３】
2010119499.tif 000005
【図４】
2010119499.tif 000006
【国際調査報告】
2010119499.tif 000007
2010119499.tif 000008
2010119499.tif 000009
2010119499.tif 000010